(57)【特許請求の範囲】
【請求項１】
収納キャビネットと、収納キャビネット内に設けた収納部と、この収納部を昇降可能に支持する昇降支持装置とを備え、収納部の一側に位置させたメカユニットおよび同収納部の他側に位置させた軸受ユニットでこの昇降支持装置を構成し、前記メカユニットは、第１の取付筐体に枢支され、遊端部に収納部を連結した平行リンクと、平行リンクの一方のリンクとともに回転するように上記第１の取付筐体に枢着された枢支軸と連係し、かつ上記第１の取付筐体と収納キャビネット内側面との間に介在させた回転速度抑制用の抑制機構とを有し、一方、軸受ユニットは、遊端部に収納部を連結した平行リンクを上記第１の取付筐体より薄型の第２の取付筐体に枢支軸を介して枢着した構成であり、これらメカユニットと軸受ユニットの平行リンクが同期して回動するように両平行リンクの基部同士を連動連結軸で連結した昇降式収納装置。
【発明の詳細な説明】
【０００１】
【発明の属する技術分野】
本発明は、厨房等において各種のものを収納する収納装置、特に収納キャビネットの内外で収納部を昇降させるようにした昇降式収納装置に関するものである。
【０００２】
【従来の技術】
従来この種の昇降式収納装置は、実開昭６３−１３３１２８号公報、実開平１−１５８７４１号公報、特開平７−１８４７２５号公報、特開平７−１４８０２９号公報に記載されているようなものが一般的であった。すなわち図９（ａ）（ｂ）に示すように、平行リンク１、１′の枢軸２の回転をダンパー３側に増速して伝達する増速ギヤ４、５を介してダンパー３を働かせ、収納部６の降下速度を制限する構成としたメカユニット７、７′を収納部６の両側に配設することにより収納部６を昇降自在にしていた。
【０００３】
尚、該メカユニットの内部構造には数種類あり、ばねとダンパー、あるいはばねとガスシリンダー、あるいはばねとばねとの組合せにより収納部を昇降自在としたものがあるが、いずれも収納部６の両側にメカユニット７、７′を配設する構成となっている。
【０００４】
【発明が解決しようとする課題】
しかしながら、従来の昇降支持装置では、ばねとダンパー、あるいはばねとガスシリンダー、あるいはばねとばねとの組合せよりなるメカユニット７、７′を収納部６の両側に備えていたため、収納物品を収納するスペースが狭くなるという課題を有していた。また、キャビネットの幅狭なものには、上記のような課題が特に大きな問題となっていた。
【０００５】
【課題を解決するための手段】
本発明は上記課題を解決するために、収納部を収納キャビネットの内外で昇降可能に支持する昇降支持装置を、収納部の一側に位置させたメカユニットおよび同収納部の他側に位置させた軸受ユニットで構成し、前記メカユニットは、第１の取付筐体に枢支され、遊端部に収納部を連結した平行リンクと、平行リンクの一方のリンクとともに回転するように上記第１の取付筐体に枢着された枢支軸と連係し、かつ上記第１の取付筐体と収納キャビネット内側面との間に介在させた回転速度抑制用の抑制機構とを有し、一方、軸受ユニットは、遊端部に収納部を連結した平行リンクを上記第１の取付筐体より薄型の第２の取付筐体に枢支軸を介して枢着した構成であり、これらメカユニットと軸受ユニットの平行リンクが同期して回動するように両平行リンクの基部同士を連動連結軸で連結したものである。
【０００６】
上記発明によれば、収納部の収納スペースの拡大が図れるとともに、キャビネット幅寸法の小さなものにも対応することができる。
【０００７】
【発明の実施の形態】
本発明は、収納部の一側に位置させたメカユニットおよび同収納部の他側に位置させた軸受ユニットで構成し、前記メカユニットは、第１の取付筐体に枢支され、遊端部に収納部を連結した平行リンクと、平行リンクの一方のリンクとともに回転するように上記第１の取付筐体に枢着された枢支軸と連係し、かつ上記第１の取付筐体と収納キャビネット内側面との間に介在させた回転速度抑制用の抑制機構とを有し、一方、軸受ユニットは、遊端部に収納部を連結した平行リンクを上記第１の取付筐体より薄型の第２の取付筐体に枢支軸を介して枢着した構成であり、これらメカユニットと軸受ユニットの平行リンクが同期して回動するように両平行リンクの基部同士を連動連結軸で連結したものである。
【０００８】
したがって、昇降支持装置のユニットの一方は抑制機構を持たない単なる軸受ユニットとしてあるからその分薄型化でき、よって収納部の収納スペースの拡大が図れ、更にキャビネット幅寸法の小さなものにも対応することができる。しかもメカ・軸受両ユニットの平行リンクは連結してあるから収納部の昇降動作の安定性も得ることができる。
【０００９】
以下、本発明の実施例について図面を用いて説明する。
【００１０】
（実施例１）
図１は本発明の一実施例の昇降式収納装置を示し、（ａ）は側面図、（ｂ）は正面図である。また図２は昇降支持装置を示し、（ａ）は図１（ｂ）のＡ−Ａ矢視断面図、（ｂ）は図２（ａ）のＢ−Ｂ矢視図である。また図３はメカユニットの取付筐体内の構造を示し、図１（ｂ）のＣ−Ｃ矢視拡大断面図である。図４はメカユニットの分解斜視図であり、図５はメカユニットの装着状態を示す要部の断面図である。図６はメカユニットの要部の分解斜視図である。また図７はメカユニットの要部の縦断面図であり、図８（ａ）は軸受ユニットの要部の縦断面図、（ｂ）は図１（ｂ）のＤ−Ｄ矢視図である。
【００１１】
図において、８はキャビネット、９はこの収納キャビネット８に、その内部に収納した状態（一点鎖線で示す）と外部の前方下部に引き出した状態（二点鎖線で示す）との間で昇降可能に装着された収納部である。収納部９は、例えば両側板と複数段の網かごと前端下部のハンドルを備えた収納ラック等にて構成されている。
【００１２】
ここで上記キャビネット８の一方側面には平行リンク１０を有するメカユニット１１が配設され、他方側面には同じく平行リンク１２を有する軸受ユニット１３が配設され、これら２つのユニットよりなる昇降支持装置にて収納部９が上記のように昇降可能に支持されている。
【００１３】
なお、収納部９は、実線で示すように平行リンク１０、１２が直立した位置で最も高く位置するが、収納部９を安定した状態で収容するために、その位置からさらに略１０度程度後側に回動した状態（図１（ａ）のｘ）で示す状態で収納キャビネット８に完全に収容されるように構成してあり、本明細書ではこの位置を収納部９の上昇端と規定し、二点鎖線で示す状態を下降端と規定する。
【００１４】
メカユニット１１は図１〜図７に示すように、平行リンク１０を構成する前側リンク１０ａと後側リンク１０ｂの各々の基端部をメカユニット１１の取付筐体１４にて枢支しており、それらリンク１０ａ、１０ｂの遊端部が収納部９の側面に固定した連結板１５に枢着されている。
【００１５】
また、後側リンク１０ｂには基端部からさらに延長した延長部１６が形成されている。取付筐体１４の外側面には、収納部９の上昇端で後側リンク１０ｂの基端部近傍の後側縁が係合し、収納部９の下降端で延長部１６の後側縁が係合するように全体形状が略三角形状のストッパ１７が固定され、収納部９の上昇端をこのストッパ１７にて規制するように構成されている。
【００１６】
メカユニット１１には図３に示すように、後側リンク１０ｂを枢支するとともにこの後側リンク１０ｂと連動して回転する枢支軸１８が取付筐体１４内に突出され、取付筐体１４内でこの枢支軸１８に連動回転板１９が固着されている。
【００１７】
そして連動回転板１９の一端部１９ａに取付けたバネ掛け２０と取付筐体１４の上部前端に設けたバネ掛け突起２１との間に引張バネ２３が介装され、連動回転板１９の他端部１９ｂに設けた支軸ピン２２と取付筐体１４の上部後端部に設けた支軸ピン２４との間に直動式ダンパ２５が介装されている。
【００１８】
前側リンク１０ａの基端部には枢支ピン２６が固定され、この枢支ピン２６が取付筐体１４に設けられた軸受け部２７にて回転自在に支持されている。なお上記引張りバネ２３と直動式ダンパ２５とで収納部９の昇降速度を抑制する抑制機構を構成している。
【００１９】
取付筐体１４は、図４に示すように、収納キャビネット８の内側両側が開口された浅い方形箱体から成り、収納キャビネット８の内側面に取り付けられる取付基板２８に装着するように構成されている。取付基板２８はその前側縁と後側縁から結合片２９ａ、２９ｂが立ち上げ形成され、取付筐体１４の前側壁と後側壁の内面に重合するように構成されている。
【００２０】
前側の結合片２９ａの端縁からは取付片３０が後側に向けて屈曲形成されている。一方、取付筐体１４の内側上端部には、前端と後端に取付筐体１４の前側壁と後側壁に重合する結合板部３１ａ、３１ｂを屈曲形成されたコ字状の支板３２が固定され、この支板３２の下端が取付基板２８の上端に当接して上下方向に支持されるように構成されている。
【００２１】
取付基板２８の結合片２９ａ、２９ｂの上端にはその先端部分に突出部３３が形成され、支板３２の結合板部３１ａ、３１ｂの下端の先端部分には突出部３３よりも幅の広い凹部３２ｘが形成されており、図５に示すように、取付筐体１４を取付基板２８の結合片２９ａ、２９ｂの先端部に嵌合させて矢印ａの如く降ろし、支板３２の結合板部３１ａ、３１ｂの先端部を結合片２９ａ、２９ｂの上端に当接させて支持し、その後矢印ｂの如く取付筐体１４を押し込むことにより、取付基板２８に取付筐体１４を装着するように構成されている。
【００２２】
支板３２の結合板部３１ａには、一部が切り起こされてバネ掛け突起２１が形成されている。また、取付筐体１４と取付基板２８の上端後端部に支軸ピン２４の両端部を嵌入係合させて取り付ける取付穴３３ａ、３３ｂが形成されている。
【００２３】
また、図６、図７にも示すように、取付筐体１４の下部の前後方向略中央部には、枢支軸１８を回転自在に支持する軸受３４が嵌合固定され、取付基板２８の対応した位置には、有底軸受３５がその裏面側から装着して嵌合固定されている。
【００２４】
図６、図７において、平行リンク１０の後側リンク１０ｂを枢支する枢支軸１８には取付筐体１４から突出した先端部に互いに平行な係合面を有する異径部３６が形成され、後側リンク１０ｂの枢支軸１８との連結部には異径部３６が一定角度範囲（±略１０度の範囲）で相対回転可能に嵌入係合するように直径方向両側にハ字状に広がる係合穴３７が形成されている。
【００２５】
この異径部３６と係合穴３７の回転方向の位置は、後側リンク１０ｂが直立状態から±略１０度の範囲で枢支軸１８及び連動回転板１９に対して連動せずにフリーに回動できるように設定され、収納部９が収納キャビネット８内に完全に収容された上昇端から略２０度引き出す間は引張バネ２３も直動式ダンパ２５も作用せず、その結果収納部９を軽く引き出すことができるように構成されている。
【００２６】
そして、枢支軸１８を取付筐体１４の内側から軸受３４に挿通し、軸受３４から外部に突出した異径部３６に後側リンク１０ｂの係合穴３７を嵌合させ、座金３８、バネ座金３９を介して取付ねじ４０を枢支軸１８の軸端ねじ穴４１に螺合することにより、後側リンク１０ｂと連動回転板１９が固定された枢支軸１８とが取付筐体１４に組み付けられている。
【００２７】
この取付筐体１４を上記のように取付基板２８に対して上方から降ろして位置決め支持した状態で収納キャビネット８の内側面に向けて押し込むことにより、枢支軸１８の先端部が取付基板２８に装着した有底軸受３５に篏入し、枢支軸１８が軸受３４と有底軸受３５にて両端支持される。
【００２８】
４２は直動式ダンパ２５の基端部２５ａと連動回転板１９との間隔を保持するスペーサ、４３は座金、４４は抜け止め用スナップリングである。４５ａ、４５ｂは直動式ダンパ２５の先端部２５ｂの位置決め用スペーサである。４６は連動回転板１９の一端部１９ａに突設されたバネ掛け２０の取付ピンである。
【００２９】
軸受ユニット１３は図８（ａ）（ｂ）に示すように、平行リンク１２を構成する前側リンク１２ａと後側リンク１２ｂの各々の基端部をメカユニット側取付筐体１４より薄型の取付筐体４７にて枢支しており、それら平行リンク１２ａ、１２ｂの遊端部がメカユニット側と同じく収納部９の側面に固定した連結板（図示せず）に枢着されている。
【００３０】
後側リンク１２ｂは、取付筐体４７に固着された軸受４８と、平行リンク１２ｂを支える枢支軸４９と、取付筐体４７との距離を一定に保つためのスペーサ５０と、座金５１を介して後側リンク１２ｂを枢軸に固定しているねじ５２により取付筐体４７に回動自在に枢着され、収納部９を昇降自在に構成している。
【００３１】
前側リンク１２ａの取付筐体４７への取付は、メカユニット１１における前側リンク１０ａの取付と同一であるので説明は省略する。
【００３２】
取付筐体４７は、取付筐体４７両端に延設された鍔部４７ａ、４７ｂで収納キャビネット側板５３に螺着されている。
【００３３】
また、後側リンク１２ｂには基端部からさらに延長した延長部５４が形成されている。取付筐体４７の外側面には、収納部９の上昇端で後側リンク１２ｂの基端部近傍の後側縁が係合し、収納部９の下降端で延長部５４の後側縁が係合するように全体形状が略三角形状のストッパ５５が固定され、収納部９の上昇端をこのストッパ５５にて規制するように構成されている。
【００３４】
メカユニット１１と軸受ユニット１３の前側リンク１０ａ、１２ａの基端部は図１（ｂ）、図２（ｂ）に示すように連動連結軸５６にて互いに結合され、メカユニット１１と軸受ユニット１３の平行リンク１０、１２が互いに同期して回動するように構成されている。
【００３５】
以上の構成により、本発明の如く一方にメカユニット１１、他方にメカユニット１１より薄型に構成された軸受ユニット１３を収納部９の左右それぞれに配設してなる昇降支持装置は、収納部９の収納スペースの拡大が図れるとともに、キャビネット幅寸法の小さなものにも対応することができる。
【００３６】
また、軸受ユニット１３はメカユニット１１のように取付筐体内部にダンパー、ばね、ガスシリンダー等よりなる抑制機構部をもたないので、部品点数の削減と材料費の削減によるコストダウンはもちろんのこと、取付筐体をより小型に設定することができ、更なる材料費の削減が可能である。
【００３７】
尚、メカユニット１１と軸受ユニット１３の各々の前端側平行リンクの基端部は連動連結軸５６にて互いに結合され、両ユニットの前端側平行リンクが互いに同期して回動するように構成されているので、一方がメカユニット１１、他方が軸受ユニット１３であっても、収納部９の両側にメカユニットを配設したものと変わらない昇降動作の安定を得ることができる。
【００３８】
【発明の効果】
以上のように本発明によれば、収納部を収納キャビネットの内外で昇降可能に設置した昇降支持装置を、遊端部に収納部を連結した平行リンクを取付筐体にて枢支し、平行リンクの一方のリンクを枢支するとともに連動して回転する枢支軸を取付筐体内に突出させて枢着し、かつ取付筐体と収納キャビネット内側面との間に、平行リンクの回動に伴う回転速度を抑制する抑制機構を配設したメカユニットと、遊端部に収納部を連結した平行リンクを取付筐体にて枢支し、平行リンクの一方のリンクを枢支するとともに連動して回転する枢支軸を薄型の取付筐体内に突出させて枢着した軸受ユニットとすることにより、収納物品の収納スペースの拡大が図れるとともに、キャビネット幅寸法の小さなものにも対応することができる。しかも上記メカ・軸受ユニットの平行リンクを連動連結軸で連結しているので、一方が単なる軸受ユニットであっても収納部の昇降動作は安定したものとなる。
【図面の簡単な説明】
【図１】  （ａ）本発明の一実施例における昇降式収納装置の側面図
（ｂ）同全体正面図
【図２】  （ａ）図１（ｂ）のＡ−Ａ矢視断面図
（ｂ）図２（ａ）のＢ−Ｂ矢視図
【図３】  同昇降式収納装置のメカユニットの取付筐体内を示す図１（ｂ）のＣ−Ｃ矢視拡大断面図
【図４】  同メカユニットの分解斜視図
【図５】  同メカユニットの装着状態を示す要部の断面図
【図６】  同メカユニットの要部の分解斜視図
【図７】  同メカユニットの要部の縦断面図
【図８】  （ａ）同昇降式収納装置の軸受ユニットの要部の縦断面図
（ｂ）図１（ｂ）のＤ−Ｄ矢視図
【図９】  （ａ）従来の昇降式収納装置の全体正面図
（ｂ）同要部の分解斜視図
【符号の説明】
８  収納キャビネット
９  収納部
１０、１２  平行リンク
１０ａ、１２ａ  前側リンク
１０ｂ、１２ｂ  後側リンク
１１  メカユニット
１３  軸受ユニット
１４、４７  取付筐体
１５  連結板
１８  枢支軸
２３  引張りバネ（抑制機構）
２５  直動式ダンパ（抑制機構）
５６  連動連結軸
【図１】
0003747526.tif 000002
【図２】
0003747526.tif 000003
【図３】
0003747526.tif 000004
【図４】
0003747526.tif 000005
【図５】
0003747526.tif 000006
【図６】
0003747526.tif 000007
【図７】
0003747526.tif 000008
【図８】
0003747526.tif 000009
【図９】
0003747526.tif 000010